(57)【特許請求の範囲】
【請求項１】
バスを介してデコーダに転送するために、ＭＰＥＧ規格に従うパケットの形式で符号化されたオーディオ及びビデオデータを記録キャリアから読取る方法であって、
前記パケットは、タグ付けクロックに基づいて、記録されるパケットの前記バスからの受信のタイミングを定義するタグと共に予め記録されており、
記録される前記タグを前記パケットと共に読取るステップと、
前記記録キャリアから読取られたデータが前記バスを介して転送されるタイミングを定義する転送クロックに基づいてカウントされる値と前記タグを比較するステップとを備え、
ＭＰＥＧシステムクロックの最大ドリフトに加えられる、前記タグ付けクロックの周波数と前記転送クロックの周波数の間の最大偏差が、ＭＰＥＧ規格で規定されるシステムクロックのドリフト以下であるように、前記転送クロックの動作周波数が設定される、
ことを特徴とする方法。
【請求項２】
前記タグ付けクロック及び前記転送クロックは、同一のクロックであり、前記システムクロックの前記最大ドリフトに加えられるその最大ドリフトが、２で割られたＭＰＥＧ規格に規定された前記システムクロックのドリフト以下であるように、前記動作周波数が設定される、
ことを特徴とする請求項１記載の方法。
【請求項３】
前記システムクロックは、約±１ｐｐｍの許容度を有し、前記タグ付けクロック及び前記転送クロックの公称周波数は、約±１ｐｐｍの許容度を有し、それぞれのクロックのドリフトは、１５ｐｐｍの範囲にある、
ことを特徴とする請求項１記載の方法。
【請求項４】
前記システムクロックは、約±１ｐｐｍの許容度を有し、前記タグ付けクロック及び前記転送クロックのドリフトは、±１５ｐｐｍの範囲にある、
ことを特徴とする請求項２記載の方法。
【請求項５】
記録される前記データは、１３９４バスから生じる、
ことを特徴とする請求項１又は２記載の方法。
【請求項６】
記録される前記データは、１３９４バスを転送されることなしに、受信機から直接生じるＴＳストリームに対応する、
ことを特徴とする請求項１又は２記載の方法。
【請求項７】
読取られる前記データは、ＤＶ及び／又はＤＳＳタイプのデータである、
ことを特徴とする請求項１記載の方法。
【請求項８】
前記ドリフトは、連続記録／読取り動作を可能にするように約１ｐｐｍである、
ことを特徴とする請求項３又は４記載の方法。
【請求項９】
バスを介してデコーダに転送するために、ＭＰＥＧ規格に従い符号化されたパケットの形式でオーディオ及びビデオデータを記録キャリアに記録、及び該記録キャリアから読取る方法であって、
データパケットの到着のタイミングを定義するように、タグ付けクロックに基づいて、バスからの受信に応じてパケットをタグ付けするステップと、
受信されたパケット及びタグを記録するステップと、
前記タグを読み出して、前記記録キャリアから読出されたデータが前記バスを介して転送されるタイミングを定義する転送クロックに基づいてカウントされる値と比較するステップとを備え、
ＭＰＥＧシステムクロックの最大ドリフトに加えられる、前記タグ付けクロックの動作周波数と前記転送クロックの動作周波数との間の最大偏差が、ＭＰＥＧ規格で規定されるシステムクロックのドリフト以下であるように、前記タグ付けクロック及び前記転送クロックの動作周波数が設定される、
ことを特徴とする方法。
【請求項１０】
記録キャリア、及び該記録キャリアからデータを読取り、バスに転送する読取りインタフェース回路を備える請求項１記載の方法を実現する読取り装置であって、
ＭＰＥＧシステムクロックの最大ドリフトに加えられる、前記タグ付けクロックの動作周波数と前記転送クロックの動作周波数の間の最大偏差が、ＭＰＥＧ規格で規定されるシステムクロックのドリフト以下であるように、前記読取られたデータを転送する少なくとも１つの転送クロックを備える、
ことを特徴とする請求項１記載の読取り装置。
【請求項１１】
前記タグ付けクロック及び前記転送クロックについて使用されるクロックは、同一のクロックであり、ＭＰＥＧのシステムクロックの最大ドリフトに加えられるその最大ドリフトが、２で割られるＭＰＥＧ規格で規定されるシステムクロックのドリフト以下であるように、前記動作周波数が設定される、
ことを特徴とする請求項１０記載の読取り装置。
【発明の詳細な説明】
【０００１】
［発明の分野］
本発明は、ＩＥＥＥ１３９４バスを転送される、ＭＰＥＧ（Motion Picture Expert Group）２規格又はＤＶ（Digital Video）規格に従い符号化された記録データの記録及び読取りに関する。
本発明は、たとえば、衛星受信機から発生されるＤＳＳ（Standard for Digital Satellite System）データ、及びデジタルカムコーダ等から発生されるＤＶデータの記録に関する。これらのデータは、その記録又はデジタルデコーダによる記録のために、ＩＥＥＥ１３９４バスを介して転送される。
【０００２】
［発明の背景］
ビデオレコーダ、カムコーダ、マルチメディアコンピュータ等のような新しいデジタルオーディオビジュアル装置の出現は、かかる装置の間の高速リンクの使用を必要不可欠なものとしている。ホームオートメーションネットワークは、かかる装置が加入者である高速ＩＥＥＥ１３９４シリアルバスの周辺で構築されている。
【０００３】
バスは、ノードと呼ばれる６３の参加者まで備えることができ、１０２３までのバスが同一のシステムに配置することができる。それぞれのノードは、３つの主要な機能成分、ケーブルとのインタフェース、バスとアクティブリピータ機能の間の調停を実行する物理インタフェース層（PHYSICAL LAYERと呼ばれる）、データパケットの組立て及び分解を行い、交換手順を担当するリンク制御層（LINK LAYERと呼ばれる）、ホストコントローラにより管理される通信プロトコルの上位層（TRANSACTION LAYER）を備えている。
【０００４】
たとえば、ＭＰＥＧ２，ＤＶ，ＤＳＳ等の各種タイプのオーディオビデオデータは、１３９４バスを介して交換される。加入者は、これらの各種の規格を処理することができる。
【０００５】
実時間で送信されることが必要とされるオーディオ及びビデオ系列データは、等時性モードで交換される。バスは、等時性リソース及びバスマネージャと同様に、バスの初期化段階の間に定義される（規格において公知であるように）ルートノードを取り込んでいる。
【０００６】
等時性のリソースマネージャは、バスの１２５マイクロ秒の初期サイクルに基づいて、全体のセッションについて、（帯域幅の観点で）等時性リソースを割当てるための役割を果たす。しかし、この等時性のリソースマネージャにより、以下に示されるように、たとえば、ＭＰＥＧデコーダへのＴＳ転送系列といった、データの転送の間に必要とされる場合があるように、低レベルのジッタを保証することができない。
【０００７】
システムに関する限り、ＭＰＥＧタイプのオーディオ及びビデオデータの符号化に関する国際規格ISO/IEC13818-1は、すなわち、ＭＰＥＧタイプの画像の符号化、転送、復号及び表示に関して、完全連鎖についての同期モデルを記述している。デコーダレベルでのシステムクロックの回復は、位相ロックループを介して、到来するＴＳストリームのＰＣＲにより転送される基準クロック値に対してローカルクロックの値をロックすることにより実行される。ＰＣＲフィールドの到着の瞬間は、ISO/IEC13818-1国際規格により課される精度である３０ｐｐｍ以上の、デコーダで再生されるようなシステムクロックのドリフトを生じない。
【０００８】
オーディオビジュアル層は、受信機が１３９４バスにより導入される転送時間における変動を保証することを可能にするように定義されている。この層は、ＩＥＣ規格61883により規定されている。ＭＰＥＧ２データのケースでは、１２バイトのヘッダは、（タイムスタンプとして知られている）「タイムマーカ」を含んでおり、データパケットに添付される。このＭＰＥＧ２規格の場合には、パケットは、１８８バイトから構成される。
【０００９】
バスの転送前に、１３９４インタフェースの入力で、パケットは、規格に従えばその精度が１００ｐｐｍである１３９４回路のクロックに基づいて、マーク又はスタンプされる。オーディオビデオパケットは、１３９４インタフェースのＦＩＦＯメモリに記憶され、それぞれのパケットは、そのメモリへの到達に応じて、時間的なサンプル、実際にはヘッダを受信する。
【００１０】
このメモリは、入力でのビットレートに依存して、１２５マイクロ秒にわたり、所定の数のパケットを取得する。１２５マイクロ秒の同期信号（「サイクルスタート」）がトリガされたとき、これらのパケットは、１３９４バスにわたり互いに転送される。
【００１１】
バスから生じるパケットの受信の後、１３９４インタフェースの出力で、マーカーは読取られ、パケットの存在の瞬間を定義するために、ローカルカウンタの内容と比較される。この時間的なサンプルにより、ＦＩＦＯの入力に存在する時間的な分散を再生することが可能である。ローカルカウンタは、それぞれのサイクルスタートで、１２５マイクロ秒に基準時間を生成するルートノードのクロックと同期される。
【００１２】
直接リンクの場合、１３９４バスを介しての簡単な転送では、スタンプする瞬間とタグを読取る瞬間の間の偏差は、数百マイクロ秒のオーダである。データの書込み、又はより詳細にはデータのタグ付けは、このタグを読取ることと同様に、ルートノードのマスタークロックと１２５マイクロ秒毎に同時に同期される異なるローカルクロックに基づいて実行される。
【００１３】
書込み及び読取りは、擬似的な瞬間であるので、ＩＥＥＥ１３９４バスの同期メカニズム及びそのクロックシステムの精度に固有なジッタ又はドリフトによる作用は、１３９４インタフェースの出力で、時間にわたりパケットの分散におけるドリフトを生じない。結果的に、１３９４バスは、ビットレートを変更せず、IEC61883規格に従うこの時間的なマークは、１３９４バスにわたる転送の間にＭＰＥＧ２パケットの時間的な分散の損失を解決する。
【００１４】
しかし、大容量の記憶がオーディオビジュアル装置に関連するとき、ＴＳストリーム転送のチェインが、たとえば、デコーダによる連続する読取りのために、このストリームの圧縮データをハードディスクに記録することにより「切断された」とき、このドリフトの固有の問題は、データが１３９４バスを介して転送されるときに存続する。
【００１５】
１８８３層に関連するタグ付けの使用は、キャリアに記録するためのものであり、１００ｐｐｍのオーダである１３９４同期クロックの精度により問題を解決することはできない。データをスタンプする瞬間は、ハードディスクからこれらのデータを読取る瞬間とは異なる。クロック周波数における変化に関連する時間にわたるパケットの新たな時間的な分散のために、１３９４インタフェースの出力ビットレートにドリフトが存在する。
【００１６】
また、記録の間にルートノードは、該読取りの間のルートノードとは異なる。結果的に、タグ付けの間のクロックの同期は、タグの読取りの間の同期とは異なるマスタークロックに関して達成される場合がある。
【００１７】
ビットレート、したがって、２７ＭＨｚのローカルクロックが同期するＰＣＲの到達の瞬間におけるこのドリフトは、このクロックの周波数のドリフトを引き起こす。結果的に、ＭＰＥＧデコーダのバッファのドライアップ又はオーバフローが発生し、たとえば、画像のフリーズが周期的に現れるような、受信機の画像の表示における欠陥となる。
【００１８】
この同期されたクロックの過度に大きなシフトは、サブキャリアから抽出された色度信号の品質を低下させる場合がある。
【００１９】
装置の項目の１００ｐｐｍの精度を変更することにより、問題を解決することはできない。これは、書き込みの間に、次いで、ハードディスクのデータの読取りの間に、任意の装置項目がルートノードで宣言されないためである。
【００２０】
したがって、圧縮データがデコーダに直接転送されず、たとえば、１３９４バスを介してデコーダにより連続して読取られるように、ハードディスクのような記録キャリアに記録される場合、ドリフトの問題は、遅かれ早かれ、画像の表示における欠陥を周期的なやり方で引き起こす。
【００２１】
「プル」と呼ばれる公知の動作モードは、ハードディスクからデコーダへデータを転送するためのビットレートをデコーダにより「命令する」ことができる。たとえば、デコーダのバッファの充満の程度の関数として、該バッファのドライアップ又はオーバフローを回避することができる。
【００２２】
このモードでは、クロック精度の問題は、あまり重要ではなく、ビットレートにおけるドリフトによるデコーダのクロックの過度に大きなドリフトは、デコーダのバッファの充満レベルの関数として、デコーダにより読取られるとき、ストリームのビットレートを規制することにより補正される。この動作モードは、デコーダによるダイレクトメモリアクセス（ＤＭＡ）が不可能なＴＳストリーム記録の場合には可能ではない。ＰＥＳパケットレベルでの記録に関する限り、１３９４バスを通したこれらのデータの転送が可能となる。
【００２３】
［発明の概要］
本発明の目的は、上述した問題点を緩和することにある。
上記目的は、バスを介してデコーダに転送するために、ＭＰＥＧ規格に従うパケットの形式で符号化されたオーディオ及びビデオデータを記録キャリアから読出すための方法を提供することにある。これらのパケットは、タグ付けクロックに基づいて、記録されるパケットがバスから受信された瞬間を定義するタグと共に予め記録されている。
【００２４】
本発明は、記録されたタグをパケットと共に読取るステップ、及び記録キャリアから読取られたデータがバスを転送される瞬間を判定するために、転送クロックに基づいてカウントされる値と該タグとを比較するステップを備えている。さらに、ＭＰＥＧシステムクロックの最大ドリフトに加えられる、タグ付けクロックの周波数と転送クロックの周波数との間の最大偏差が、公称値に比例して、規格に規定されるシステムクロックのドリフトのオーダ又は該ドリフト以下であるように、転送クロックの動作周波数が設定される。
【００２５】
本発明の変形例によれば、本方法は、タグ付けクロック及び転送クロックは同一のクロックであり、システムクロックの最大ドリフトに加えられる、その最大ドリフトが、公称値に比例して、２で割られた規格に規定されるシステムクロックのドリフトのオーダ又は該ドリフト以下であるように、動作周波数が設定される。
【００２６】
また、本発明の他の目的は、記録キャリア及び該記録キャリアからデータを読取りバスに転送するための読取りインタフェース回路を備える方法を実現するための読取り装置を提供することにある。本読取り装置は、読取られたデータを転送するための少なくとも１つの転送クロックを備えており、ＭＰＥＧシステムクロックの最大ドリフトに加えられる、タグ付けクロックの周波数と転送クロックの周波数の間の最大偏差が、公称値に比例して、規格に規定されるシステムクロックのドリフトのオーダ又は該ドリフト以下である。
【００２７】
システムクロックに基づいて、記録キャリアに記憶されるパケットをスタンプするために、デコーダのバッファのドライアップ又はオーバフローのリスクは、最小に減少される。
【００２８】
本発明の主要な利点は、１３９４バスを通してＤＶタイプ又はＭＰＥＧタイプの信号の記憶及び転送の観点で、完全な互換性を可能にすることである。
本発明の特徴及び利点は、与えられた例及び添付図面を参照して、以下の記述から更に明らかとなるであろう。
【００２９】
［発明の実施の形態］
図１には、１３９４バスを通して衛星受信機にリンクされる記録キャリアに圧縮データを記録するための装置の構成が表されている。受信機１には、１３９４インタフェース回路が設けられる。受信機１は、規格においてＴＳ（Transport Stream）トランスポート系列と呼ばれる衛星転送から生じるＭＰＥＧ２規格に従い圧縮されたオーディオビデオデータの系列を受信する。
【００３０】
受信機により受信された信号は、とりわけ、ベースバンド信号を供給するように復調される。このトランスポートストリームは、幾つかのプログラムを備えている。該プログラムは、選択されたプログラムに対応するパケットのみを選択するフィルタリングの後に転送される。
【００３１】
受信機に組込まれる１３９４インタフェース回路は、このデータストリームを１３９４リンクにわたり送信することができる。この回路は、規格の用語に従い、「リンク制御」レイヤ（ＬＩＮＫ）２、「物理インタフェース」レイヤ（ＰＨＹ）３からなる。この回路により、特に、IEC61883規格に従ってパケットのタグ付けを実行する。データは、１３９４ポートを介して転送される。記録装置４は、ハードディスク１０、並びに１３９４バス及びハードディスクにリンクされるハードディスク４のインタフェース回路を備えている。
【００３２】
このインタフェース回路４は、ＰＨＹ回路５、ＬＩＮＫ回路６、書込みインタフェース回路７、読取りインタフェース回路９及びクロック回路８を備えている。データは、１３９４ポートを介して、１３９４標準に従いＰＨＹ回路５及びＬＩＮＫ回路６に到達する。データは、パケットのタグ付けに対応する瞬間で、ＬＩＮＫ回路のオーディオビデオ出力ポートに転送される。
【００３３】
オーディオビデオポートは、本発明に従いデータをスタンプする書込みインタフェース回路７の入力にリンクされる。ハードディスクインタフェース回路４は、ハードディスク１０にリンクされ、スタンプされたデータを記録のためにハードディスクに転送する。
【００３４】
ハードディスク１０は、データの読取りのためにインタフェース回路４の入力にリンクされる。読取りインタフェース回路９は、この入力でデータを読取り、ＰＨＹ回路６の入力オーディオビデオポートに転送する。これらのデータは、ＰＨＹ回路５及び１３９４ポートを介して１３９４バスに送出される。
クロック８は、インタフェース回路７及び９のそれぞれにクロック信号を供給する。
【００３５】
「データの書込み」
書込みインタフェース回路７は、図２を参照してより詳細に説明される。
【００３６】
ＬＩＮＫ回路６のオーディオビデオ出力ポートから発生される有効性、パケット開始信号及び１０ＭＨｚ同期クロックにより伴われるオーディオ及びビデオデータは、書込みインタフェース回路７の入力で存在する。データは、パケットメモリ１１に記憶される。クロック信号は、パケットメモリ１１に書き込みを命令する書込みカウンタ１２をインクリメントする。パケット開始信号は、このカウンタ１２をゼロにリセットすることを可能にする。
【００３７】
読取りカウンタ１３は、データの転送及び記録のために、パケットメモリ１１の読取りを命令し、マルチプレクサ１７を同期させ、バッファメモリ１８への書込みを制御する。入力に関して、このカウンタ１３は、パケット長に関する情報項目を受信する。パケット長は、すなわち、ＭＰＥＧ２タイプのデータのケースでは１８８バイトであり、ＤＳＳタイプのデータのケースでは１３１バイトであり、ＤＶタイプのデータのケースでは４８０バイトである。
【００３８】
パケットメモリは、受信されたデータが完全なパケットであり、完全でなければ、パディングビットを添付することにより、正しい長さのパケットを送信する。
【００３９】
本発明によるデータのスタンプは、高周波発振器８による特定のクロックに基づいて達成される。この特定のクロックは、たとえば、４０ＭＨｚの周波数であって、その時間につれての安定条件は、以下に説明されるように１ｐｐｍと１５ｐｐｍの間で規定される。この発振器は、カウンタ１４のクロック入力にリンクされる。また、この発振器は、これらの回路の同期のために、パケット開始検出回路１５及び時間的なマーカーの取得レジスタ１６にリンクされる。
【００４０】
カウンタ１４は、クロック８により先行され、カウントワードをレジスタ１６に転送する。パケット開始検出回路１５に転送されるパケット開始信号が受信されたとき、この回路は、クロック８と同期される有効性信号をレジスタ１６に転送する。レジスタ１６は、この瞬間でカウンタ出力を記憶する。
【００４１】
検出回路１５により、この信号が転送されていない場合にパケットの開始を検索し、高周波のクロック８と同期するようにサンプル抽出することができる。レジスタ１６により記憶される値は、マルチプレクサ１７に転送され、該マルチプレクサ１７は、パケットメモリ１１により出力されたデータを受信する。
【００４２】
読取りカウンタ１３は、マルチプレクサに指示する。該マルチプレクサは、はじめに、パケットメモリにパケット開始が到達した瞬間に対応する全てのタグ、次いで、この記憶されたパケットのデータをその出力で転送する。これらのデータは、オーディオビデオファイルの形式で、その記憶のためにインタフェース７の出力に転送される前に、記録バッファメモリ１８を通過する。
【００４３】
［データの読取り］
インタフェース回路９は、図３を参照して、より詳細に記載される。
【００４４】
ハードディスク１０は、読取りインタフェース回路９の入力にリンクされ、記録データを供給する。この回路の入力でのこれらのデータは、読取りバッファメモリ１９を介して転送され、次いで、パケットメモリ２０及びタグ抽出回路２１に転送される。
【００４５】
ハードディスクから発生しているオーディオビデオデータは、パケットメモリ２０に記録され、タグデータは、タグ抽出回路２１により記憶されるように抽出される。これらのタグデータは、先に示されたように、それぞれのパケットについて、回路７によりオーディオビデオデータに添付されるタグデータである。パケット長に関連する情報項目は、抽出回路２１に転送される。抽出すべきタグは、パケットレートで受信される。
【００４６】
抽出回路２１は、回路により受信されたクロック８と同期して、復元カウンタ２３及び時間的なタグ２２を記憶するレジスタにタグを転送する。また、抽出回路２１は、ファイルの開封に応じて、ロード命令信号を復元カウンタ２３に転送する。次いで、このカウンタは、それ自身を初期化するように、ファイルの開封の間に読取られた第１の時間的なタグをロードする。
【００４７】
また、抽出回路２１は、抽出された時間的なタグを送出する間に、データ考慮信号を記憶レジスタ２２に転送する。次いで、タグは、このレジスタにより受信されたクロック信号８と同期するレジスタによりロードされる。
【００４８】
カウンタ２３のクロック入力は、クロック８の信号を受信する。カウンタ２３の出力は、コンパレータ２４に転送され、該コンパレータ２４は、第２の入力に関して、記憶レジスタ２２から発生している、パケットメモリ２０において記憶されているパケットの時間的なタグを受信する。等号に応じて、回路により受信されたクロック信号８と同期して、読取り命令信号は、コンパレータ２４によりパケットカウンタ２５に転送される。
【００４９】
この信号の受信に応じて、カウンタは、パケットに対応する多数のバイトの読取りをトリガする。このパケットカウンタは、パケット長に関連する情報項目を受信する。パケットメモリ２０のデータの読取りの間、カウンタ２５は、読取りバッファメモリ１９の新たなパケットの読取り、及びこのパケットのパケットメモリ２０への書込みを作動する。
【００５０】
パケットカウンタのクロック入力は、データの転送を同期するように、ＬＩＮＫインタフェース６から発生しているオーディオビデオクロック信号により供給される。パケットメモリ２０から発生しているオーディオビデオデータは、対応する有効クロック信号、パケット開始信号及びパケットカウンタ２５から発生しているデータと同様に、インタフェース回路９の出力で供給される。
【００５１】
このように、復元カウンタ２３は、ハードディスクのファイルから読取られた第１のパケットのタグにより初期化される。瞬間的な段階では、第１のパケットは、パケットメモリに記憶され、即座に読取られ、したがって、ＬＩＮＫ回路６のオーディオビデオ入力ポートに即座に転送される。
【００５２】
第１のパケットの即座の転送に続く記憶の後、第２のパケットがパケットメモリに記憶される間に、第２のパケットのタグが抽出され、レジスタ２２にロードされる。カウンタ２３は、正確なクロック８の周波数で動作し、カウント値が第２のタグの値に等しいとき、コンパレータ２４は、パケットに対応するバイト数の読取り、及びＬＩＮＫ回路６のオーディオビデオ入力ポートへの転送のために、パケットカウンタ２５をトリガするための信号を転送する。そしてさらに、新たなパケットのそれぞれの読取りが行われる。
【００５３】
パケットカウンタの同期クロックは、ＬＩＮＫ回路のオーディオビデオポートにより転送される。４０ＭＨｚ高周波発振器に基づいて構築されるように、信号は、たとえば４で分周され、これらのカウンタに供給される１０ＭＨｚクロックが供給される。
【００５４】
本実施の形態では、その記録の間のデータのタグ付け、及び読取られたデータの１３９４バスでの転送のために、書込みインタフェース回路及び読取りインタフェース回路による同一のクロック８の利用を記載している。また、２つの個別のクロック（発振器）、タグ付けクロック及び転送クロックに基づいた回路の実現を考慮することもできる。この場合、これらのクロックに関連する追加的な制約を考慮することが必要となる。特に、共通のクロックの利用の間、非常に良好な周波数の安定性のみ、時間にわたる安定性のみ、温度に関する安定性のみが必要とされる。
【００５５】
しかし、一方のパケットと他方のパケットの相対的な日付が含まれるため、良好な精度は、必要不可欠である。２つの独立なクロックが使用される場合、一方はタグ付け用、他方は転送用であり、この相対的な日付は、２つのクロックの間の周波数の偏差にも依存する。結果として、その公称値に関するクロックの精度は、規定されなければならない。
【００５６】
第２のクロックの周波数は、たとえば、タグ付けのためのクロックの周波数が変更される範囲で保証されなければならない。また、それぞれのクロックについて、たとえば、１ｐｐｍといった非常に正確な公称の周波数、それぞれのクロックについて、たとえば、最大１５ｐｐｍのドリフトを規定することも可能である。
【００５７】
１５ｐｐｍの最大ドリフトの観点で、このクロックの規定は、２つのクロックが使用される場合に公称周波数の間の偏差を無視して、記録と読取りの間で３０ｐｐｍの最大偏差を与える。しかし、幾つかの連続したデータの記憶が考慮される場合、良好な精度が必要とされ、エラーの可能性はそれぞれのスタンプと共に、すなわちそれぞれの記録と共に蓄積される。たとえば、１ｐｐｍのオーダの精度は、１５の連続した記録を可能にする。
【００５８】
タグ付け用のクロック（又は、記録クロックと呼ばれる）及び転送用のクロックの動作周波数は、これらの周波数の間の最大偏差が、比例的に、ＭＰＥＧ２規格において±３０ｐｐｍで規定されるシステムクロックにおける許容となるように設定される。したがって、システムクロックの周波数は、±１ｐｐｍの最大ドリフトを有し、タグ付け及び転送クロックについて±１５ｐｐｍのドリフトに対応する、デコーダの入力での平均レートにおける±３０ｐｐｍのドリフトを可能にする。
【００５９】
任意のタイプのデコーダとの互換性を望む場合であって、±３０ｐｐｍのシステムクロックの最大ドリフトを仮定することにより、タグ付けクロック及び転送クロックの周波数は、１ｐｐｍ以上ずれる筈がない。これらは、目安となる値であり、動作は、これらの値に近づくにつれて、より一層向上する。
【００６０】
さもなければ、これらの周波数の間の最大偏差が、ＭＰＥＧシステムクロックの最大ドリフトに加えられ、公称値に比例して、規格に規定されるシステムクロックのドリフトのオーダ又は該ドリフト以下となるように、タグ付け及び転送クロックの動作周波数が設定される。
【００６１】
１３９４バスにわたり転送されるデータストリームは、たとえば、ＭＰＥＧ２規格で定義されるような、幾つかのプログラムを備えるＭＰＴＳ（Multiple Program Transport Stream）トランスポートストリームである。転送されたプログラムの収集は、ハードディスクに記録される場合がある。
【００６２】
また、１３９４バスにわたり転送されるデータストリームは、ＭＰＥＧ２デコーダでＭＰＴＳストリームをフィルタリングすることにより得られるＳＰＴＳ（Single Program Transport Stream）トランスポートストリームである場合がある。次いで、１８８バイトのパケットは、１３９４インタフェースの入力で不規則に受信され、平均レートの観点で推論する。ハードディスクに記録されるのは、このプログラムのみである。
【００６３】
図１は、受信機と記録装置の間の１３９４リンクを説明している。記録装置は、本発明の分野から逸脱することなしに、等価な構成であればよく、受信機に組込まれる場合がある。次いで、ＴＳデータは、１３９４バスを介して転送されることなしに、したがって、その記録のためのＬＩＮＫ及びＰＨＹ回路を通過することなしに、ハードディスクインタフェース回路に直接転送される。
【００６４】
ＤＶ信号は、復号レベルでかかる精度を必要としない。ＭＰＥＧタイプの信号のために実現される装置は、その記録及び記録キャリアからの読取り向けのＤＶパケットのタグ付けのために使用される。
【図面の簡単な説明】
【図１】  記録装置にリンクされる受信機を説明する図である。
【図２】  書込みインタフェース回路を説明する図である。
【図３】  読取りインタフェース回路を説明する図である。
【図１】
0004845326.tif 000002
【図２】
0004845326.tif 000003
【図３】
0004845326.tif 000004